【手続補正書】
【提出日】平成25年2月27日(2013.2.27)
【手続補正１】
【補正対象書類名】明細書
【補正対象項目名】００１５
【補正方法】変更
【補正の内容】
【００１５】
さらに、本発明の画像処理装置の一実施態様において、前記再生制御部は、前記３次元画像転送フォーマットがオーバーアンドアンダー方式である場合、３次元画像の出力時には、１つのフレーム画像中の上下の各位置に左右各視点対応の画像を展開した出力データを生成して出力し、２次元画像の出力時には、１つのフレーム画像中の上下の各位置に同一の２次元画像を展開した出力データを生成して出力する処理を実行する。
【手続補正２】
【補正対象書類名】明細書
【補正対象項目名】００３６
【補正方法】変更
【補正の内容】
【００３６】
図２は、ＤＣＩＭディレクトリ２００の構成例を示す図である。
図２に示すように、標準的なＤＣＦ規格では、ルートディレクトリ（ＲＯＯＴ）の直下に、ディレクトリ「ＤＣＩＭ」２０１が配置される。ディレクトリ「ＤＣＩＭ」２０１の下に、画像フォルダ、例えば、「１０１ＡＡＡＡＡ」２０２、「１０２ＡＡＡＡＡ」２０３が配置される。この画像フォルダ名は８文字であり、第１文字乃至第３文字は１００から９９９までのディレクトリ番号である。また、第４文字乃至第８文字までの５文字は、半角英数大文字のみが使用される自由文字と呼ばれる文字である。
【手続補正３】
【補正対象書類名】明細書
【補正対象項目名】００４１
【補正方法】変更
【補正の内容】
【００４１】
図２に示す例では、画像フォルダ１０１ＡＡＡＡＡ，２０２の下位に、以下の画像ファイルまたはファイルセットが設定された例を示している。
単視点画像（２Ｄ画像）ファイル２１１である画像ファイル［ＡＡＡＡ０００１．ＪＰＧ］、
単視点画像（２Ｄ画像）ファイルと多視点画像（３Ｄ画像）ファイルのファイルセット２１２である画像ファイル［ＡＡＡＡ０００２．ＪＰＧ］＆［ＡＡＡＡ０００２．ＭＰＯ］、
多視点画像（３Ｄ画像）ファイル２１３である画像ファイル［ＡＡＡＡ０００３．ＭＰＯ］、
これらのファイルを示している。
【手続補正４】
【補正対象書類名】明細書
【補正対象項目名】００６６
【補正方法】変更
【補正の内容】
【００６６】
図５に示す２次元画像（単視点画像）を入力した場合も、表示制御部１０８、あるいは出力部を介して入力した表示装置１５０は、処理を切り換えることなく、同様の処理を行う。
すなわち、３次元画像における左目用画像（Ｌ画像）の提示処理の代わりに２次元画像（単視点画像）を提示し、左目用画像（Ｌ画像）の提示処理の代わりに同様の２次元画像（単視点画像）を提示する処理を行う。
この場合、例えばシャッタ方式のメガネを装着したユーザは左目でも右目でも同一の２次元（単視点）画像を観察することになり、通常の平面的な画像を観察すると同様の画像観察を行うことができる。
【手続補正５】
【補正対象書類名】明細書
【補正対象項目名】００７０
【補正方法】変更
【補正の内容】
【００７０】
また、３次元画像転送フォーマットがオーバーアンドアンダー方式である場合、３次元画像の出力時には、１つのフレーム画像中の上下の各位置に左右各視点対応の画像を展開した出力データを生成して表示制御部等へ出力し、２次元画像の出力時には、１つのフレーム画像中の上下の各位置に同一の２次元画像を展開した出力データを生成して表示制御部等へ出力する処理を実行する。
【手続補正６】
【補正対象書類名】特許請求の範囲
【補正対象項目名】全文
【補正方法】変更
【補正の内容】
【特許請求の範囲】
【請求項１】
単視点画像と多視点画像を入力して表示部への出力データを生成する再生制御部を有し、
前記再生制御部は、
表示部が多視点画像の表示モードでの表示を実行している場合において、
多視点画像を出力する場合は、多視点画像転送フォーマットに従って規定される各視点画像の展開位置に多視点画像を構成する各視点画像を展開した出力データを生成して出力し、
単視点画像を出力する場合は、多視点画像転送フォーマットに従って規定される各視点画像の展開位置に同一の単視点画像を展開した出力データを生成して出力する処理を実行する画像処理装置。
【請求項２】
前記再生制御部は、
表示部が３次元画像の表示モードでの表示を実行している場合において、
３次元画像を出力する場合は、３次元画像転送フォーマットに従って規定される左右各視点対応の画像展開位置に左右の各視点画像を展開した出力データを生成して出力し、
２次元画像を出力する場合は、３次元画像転送フォーマットに従って規定される左右各視点対応の画像展開位置に同一の２次元画像を展開した出力データを生成して出力する処理を実行する請求項１に記載の画像処理装置。
【請求項３】
前記再生制御部は、
前記３次元画像転送フォーマットがサイドバイサイド方式である場合、
３次元画像の出力時には、１つのフレーム画像中の左右の各位置に左右各視点対応の画像を展開した出力データを生成して出力し、
２次元画像の出力時には、１つのフレーム画像中の左右の各位置に同一の２次元画像を展開した出力データを生成して出力する処理を実行する請求項２に記載の画像処理装置。
【請求項４】
前記再生制御部は、
前記３次元画像転送フォーマットがオーバーアンドアンダー方式である場合、
３次元画像の出力時には、１つのフレーム画像中の上下の各位置に左右各視点対応の画像を展開した出力データを生成して出力し、
２次元画像の出力時には、１つのフレーム画像中の上下の各位置に同一の２次元画像を展開した出力データを生成して出力する処理を実行する請求項２に記載の画像処理装置。
【請求項５】
前記再生制御部は、
前記３次元画像転送フォーマットがフレームシーケンシャル方式である場合、
３次元画像の出力時には、フレーム毎に左右各視点対応の画像を交互に展開した出力データを生成して出力し、
２次元画像の出力時には、２つの連続フレーム毎に同一の２次元画像を展開した出力データを生成して出力する処理を実行する請求項２に記載の画像処理装置。
【請求項６】
前記再生制御部は、
入力画像が単視点画像であるか多視点画像であるかを、各画像ファイルの拡張子に基づいて解析することにより判別する処理を実行する請求項１〜５いずれかに記載の画像処理装置。
【請求項７】
前記再生制御部は、
表示部側からＮ個の視点画像の要求があり、取得可能な多視点画像がＮ未満の視点の画像である場合、Ｎ未満の視点の画像の一部の画像をコピーしてＮ視点画像として出力する処理を実行する請求項１に記載の画像処理装置。
【請求項８】
画像処理装置において、画像出力制御を実行する画像処理方法であり、
再生制御部が、単視点画像と多視点画像を入力して表示部への出力データを生成する出力データ生成ステップを実行し、
前記出力データ生成ステップは、
表示部が多視点画像の表示モードでの表示処理を実行している場合において、
多視点画像出力時には、多視点画像転送フォーマットに従って規定される各視点画像の展開位置に多視点画像を構成する各視点画像を展開した出力データを生成して出力し、
単視点画像出力時には、多視点画像転送フォーマットに従って規定される各視点画像の展開位置に同一の単視点画像を展開した出力データを生成して出力する処理を実行する画像処理方法。
【請求項９】
画像処理装置において、画像出力制御を実行させるプログラムであり、
再生制御部に、単視点画像と多視点画像を入力して表示部への出力データを生成させる出力データ生成ステップを実行させ、
前記出力データ生成ステップは、
表示部が多視点画像の表示モードでの表示処理を実行している場合において、
多視点画像出力時には、多視点画像転送フォーマットに従って規定される各視点画像の展開位置に多視点画像を構成する各視点画像を展開した出力データを生成して出力する処理を実行させ、
単視点画像の出力時には、多視点画像転送フォーマットに従って規定される各視点画像の展開位置に同一の単視点画像を展開した出力データを生成して出力する処理を実行させるステップであるプログラム。